(57)【特許請求の範囲】
【請求項１】
工具本体のバッテリ取り付け部に対してバッテリパックを取り付け方向にスライドさせて、該バッテリ取り付け部に相互に対向して設けた取り付け縁部を、該バッテリパックの左右側部に設けた係合凹部にそれぞれ挿入させて前記工具本体に取り付ける構成とした該バッテリパックを前記工具本体とともに収納しておくための収納ケースであって、
前記バッテリパックは、前記工具本体に対する取り付け手段としての係合凹部とは別に左右一対の溝部を有し、該両溝部内に当該バッテリパックを前記工具本体側と電気的に接続するための端子を備えており、
当該収納ケースは、前記バッテリ取り付け部の取り付け縁部と同じ形態の保持縁部を相互に対向させた保持部を備え、該保持部に対して前記バッテリパックをスライドさせて該保持縁部を前記係合凹部にそれぞれ挿入させて該バッテリパックを固定状態で収納可能な構成とした電動工具の収納ケース。
【請求項２】
請求項１記載の収納ケースであって、壁部により区画されたバッテリ収納部を備え、該壁部に保持部を設けて、バッテリパックを前記バッテリ収納部に固定状態で収納可能な構成とした収納ケース。
【請求項３】
請求項２記載の収納ケースであって、バッテリ収納部の壁部により収納したバッテリパックの端子部が遮蔽される構成とした収納ケース。
【発明の詳細な説明】
【０００１】
【発明の属する技術分野】
この発明は、充電等のために工具本体から取り外し可能なバッテリパックを電源とする電動工具を使用しない時に収納しておくためのケースに関する。
【０００２】
【従来の技術】
この種の収納ケースは、電動工具を使用しない時にその持ち運びの便宜を図るために用いられるもので、工具本体（バッテリ付き）と、工具本体から取り外した状態の予備のバッテリパックと、これを充電するための充電器（チャージャー）およびその他の小物類を収納できるようになっている。
この収納ケースは、ケース本体と、これに対して開閉可能な蓋を備え、ケース本体の内部は、工具本体を収納する部位、バッテリパックを収納する部位、充電器を収納する部位、および小物類を収納する部位といったように複数の収納部に区画されている。この各収納部に工具本体等を所定の向き（姿勢）で収納して蓋を閉じることで、当該電動工具および充電器を持ち運ぶことができる。
【０００３】
【発明が解決しようとする課題】
しかしながら、従来の収納ケースでは、運搬時のカタカタ音をなくすため工具本体から取り外した状態の予備のバッテリパックを固定状態で収納するためのリブを設けていたのであるが、この固定用リブを種々サイズ（この種のバッテリパックは、通常供給する電圧によって大きさ、形状が異なっている）のバッテリパックに対応させるため多くのリブを予め形成しておく必要があり、この点で収納ケースが複雑化しかつコスト高となる問題があった。
本発明は、この問題に鑑みなされたもので、従来のように多くの固定用リブを設けることなく種々サイズのバッテリパックを固定状態で収納することができる収納ケースを提供することを目的とする。
【０００４】
【課題を解決するための手段】
このため本発明は、前記各請求項に記載した構成の収納ケースとした。
請求項１記載の収納ケースによれば、バッテリパックは保持部により固定状態で収納されるので運搬時（携帯時）にカタカタ音を発生することがない。しかも、バッテリパックは工具本体のバッテリ取り付け部に対して係合部を係合させて取り付けられる構成であり、これと同じ形態で収納ケースに固定される構成となっている。このことから、同じ工具本体に取り付け可能な種々サイズのバッテリパックを共通の保持部により固定状態で収納することができるので、従来のように収納するバッテリパックのサイズに合わせて多くの固定用リブを形成しておく必要がなく、この点で収納ケースの簡素化および低コスト化を図ることができる。
請求項２記載の収納ケースによれば、上記作用効果に加えて、バッテリパックを整然と収納することができるとともに、同じく収納した他物品との干渉を防止することができる。
請求項３記載の収納ケースによれば、上記作用効果に加えて、バッテリパックの端子部の損傷を防止することができる。
【０００５】
【発明の実施の形態】
次に、本発明の実施形態を図１〜図８に基づいて説明する。本実施形態の収納ケース１は、ケース本体１０とその開口部を閉塞する蓋２０を備えている。先ず、この収納ケース１に収納される電動工具３０について説明する。この電動工具３０が図５に示されている。この電動工具３０は、バッテリ式の電動スクリュードライバであり、略円柱体形状の本体部３２と本体部３２の側部から側方へ突き出すように設けられたハンドル部３３を有する工具本体３１を備えている。ハンドル部３３の先端に、当該電動工具３０の電源としてのバッテリパック（蓄電池）３４が取り付けられている。このバッテリパック３４は、その充電等をするためにハンドル先端部のバッテリ取り付け部３５から容易に取り外すことができる。
このバッテリパック３４のバッテリ取り付け部３５に対する取り付け構造については従来構成に比して特に変更を要するものではないが、以下簡単に説明する。図６に示すようにバッテリパック３４の上部の左右側部には係合凹部３４ａ，３４ａが、その前後方向（図６において紙面に直交する方向）沿って一定の範囲で相互に対をなして形成されている。この係合凹部３４ａ，３４ａが特許請求の範囲に記載した係合部の一実施形態に相当する。一方、バッテリ取り付け部３５には、上記係合凹部３４ａ，３４ａに対応して、取り付け縁部３５ａ，３５ａが前後方向に沿って一定の範囲で相互に対をなして形成されている。
【０００６】
このバッテリ取り付け部３５側の両取り付け縁部３５ａ，３５ａを係合凹部３４ａ，３４ａ内に挿入させながら当該バッテリパック３４をバッテリ取り付け部３５に対して後方から前方へ向けて（図５において右側から左側へ向けて）スライドさせることにより、当該バッテリパック３４をバッテリ取り付け部３５に取り付けることができる。逆に、バッテリパック３４をバッテリ取り付け部３５に対して取り外し方向に（図６において左側から右側へ向けて）スライドさせると、当該バッテリパック３４をバッテリ取り付け部３５から容易に取り外すことができる。このことから、取り付け縁部３５ａ，３５ａはスライドレールとしての機能を有している。
図６に示すように両取り付け縁部３５ａ，３５ａの先端部は、二股形状に形成されてその板厚方向の適度な弾性を有している。この弾性によって取り付け縁部３５ａ，３５ａの係合凹部３４ａ，３４ａに対するがたつきが規制され、ひいてはバッテリパック３４のバッテリ取り付け部３５に対するがたつきが規制されるようになっている。
なお、図示は省略されているが、バッテリパック３４にはバッテリ取り付け部３５に対する取り付け状態をロックするための爪部が設けられている。この爪部はロック側にばね付勢されている。バッテリパック３４の後面に設けたレバー（図示省略）をばね付勢力に抗してアンロック方向に操作することにより、バッテリ取り付け部３５に対する当該爪部のロック状態を解除することができる。爪部をアンロック位置に移動させた状態とすることによりバッテリパック３４を取り外し方向に移動させることができ、ひいてはバッテリパック３４をバッテリ取り付け部３５から取り外すことができる。
【０００７】
また、図７，８に示すようにバッテリパック３４の上面には左右一対の溝部３４ｂ，３４ｂが設けられている。この両溝部３４ｂ，３４ｂ内に、工具本体３１側と電気的に接続するための端子３４ｃ，３４ｃが配置されている。
さらに、工具本体３１には、例えば当該電動工具３０を使用者のベルトに吊り下げておく際の便宜を図るためのフック３６が取り付けられている。このフック３６は適度な太さの鋼線を折り曲げて概ねＵ字形に形成したもので、その両先端部をハンドル部３３の側部に設けた係合孔に差し込んで取り付けられている。フック３６は、その両先端部間が相互に閉じる方向のばね性を有している。フック３６はこのばね性を利用して取り付け状態に保持されている。このため、フック３６はそのばね性に抗して変形させることにより、工具本体３１から容易に取り外すことができる。フック３６を取り付けるための係合孔はハンドル部３３の両側面に設けられている。このため、フック３６は、ハンドル部３３の右側面または左側面のいずれの側面にも任意に選択して取り付けることができるようになっている。これによれば、使用者が左利きまたは右利きのいずれの場合でも、使用者はフック３６を使い勝手のよい側を選択して取り付けることができるので、当該電動工具およびフック３６の使い勝手を一層向上させることができる。
【０００８】
さて、工具本体３１のバッテリ取り付け部３５から取り外したバッテリパック３４は、単体で（取り外した状態で）収納ケース１に収納しておくことができる。本実施形態の収納ケース１には、２個のバッテリパック３４，３４と、工具本体３１とバッテリパック３４を充電するための充電器４０およびその他の小物類を収納することができる。図１は、この収納ケース１のケース本体１０を示している。
このケース本体１０は、底部１１と前後の側壁部１２，１３と左右の側壁部１４，１５を有する上方開放の箱体形状を有している。このケース本体１０の内部は複数の壁部によって複数の収納部に区画されている。図中符号Ｓ１は、工具本体３１を収納する工具本体収納部を示し、符号Ｓ２はバッテリパック３４を収納するバッテリ収納部を示し、符号Ｓ３は充電器４０を収納する充電器収納部を示し、符号Ｓ４は小物類（図示省略）を収納する小物類収納部を示している。これらを収納した状態が図４に示されている。但し、図４では、小物類の図示が省略されている。また、図１では、ケース本体１０への収納物としてバッテリパック３４のみが示されており、工具本体３１等その他の収納物の図示省略されている。
図１に示すようにケース本体１０の内部は、そのほぼ中央において壁部５０により左右にほぼ２分されている。この壁部５０の図示右側には壁部５１，５２，５３，５４により区画形成される２つのバッテリ収納部Ｓ２，Ｓ２が設けられている。各バッテリ収納部Ｓ２を区画する壁部５１，５３の内面側には、それぞれ工具本体３１から取り外したバッテリパック３４を保持しておくための保持部５５が設けられている。この保持部５５は、前記した工具本体３１のバッテリ取り付け部３５における取り付け縁部３５ａと同じ形態に形成されている。すなわち、各保持部５５は、取り付け部３５において相互に対向して形成された取り付け縁部３５ａ，３５ａと同様、相互に対向して形成された２つの保持縁部５５ａ，５５ａを備えている。図示するように両保持縁部５５ａ，５５ａも、二股形状の先端部を備えており、その板厚方向の寸法は前記取り付け縁部３５ａと同寸法に設定されている。また、両保持縁部５５ａ，５５ａの図１において紙面に直交する方向の長さについても、前記取り付け縁部３５ａの前後方向の長さとほぼ同じ寸法に設定されている。
【０００９】
このように設けられた保持縁部５５ａ，５５ａを、バッテリパック３４の係合凹部３４ａ，３４ａに挿入させながら図１において紙面に直交する方向にスライドさせることにより当該バッテリパック３４をバッテリ収納部Ｓ２に収納することができ、逆にバッテリ収納部Ｓ２から取り出すことができる。バッテリパック３４の両係合凹部３４ａ，３４ａに保持部５５の保持縁部５５ａ，５５ａを挿入した状態に収納することにより、当該バッテリパック３４をバッテリ収納部Ｓ２内においてがたつきなく固定することができる。
このように上記保持部５５もバッテリパック３４を収納または取り出す際にスライドレールとして機能するもので、この点で本例における収納ケース１の保持部５５は工具本体３１のバッテリ取り付け部３５と同形態の取り付け構造（スライド式脱着構造）を利用した保持構造を備えている。
また、両バッテリ収納部Ｓ２，Ｓ２はそれぞれ大きさおよび形状に関して複数種類のバッテリパックを収納できるように収納することが予想される最大サイズ（形状含む）のバッテリパックを収納可能な大きさに区画されている。しかしながら、バッテリパックはそのサイズに関係なく工具本体３１の共通の取り付け部３５により取り付け可能となっているので、当該バッテリパック収納部Ｓ２においても、そのサイズに関係なく共通の保持部５５（保持縁部５５ａ，５５ａ）により固定することができる。この点、従来は種々サイズのバッテリパックをがたつきなく固定状態で収納するために、ケース内に様々なリブを形成しておく必要があったが、例示した収納ケース１によれば、保持部５５，５５をサイズに関係なく共通して利用することができるので、当該収納ケースの構成を従来に比して簡素化することができる。
さらに、図１および図４に示すようにバッテリパック３４をバッテリ収納部Ｓ２に収納した状態では、バッテリパック３４の上面が壁部５１または壁部５３によって遮蔽される。前記したようにバッテリパック３４の上面には工具本体３１側と電気的に接続するための端子３４ｃ，３４ｃが配置されている。従って、バッテリパック３４のバッテリ収納部Ｓ２への収納状態では、この端子３４ｃ，３４ｃが壁部５１または壁部５３によって遮蔽される。これによれば、他部材が端子３４ｃ，３４ｃに接触する等して損傷することを未然に防止することができる。
【００１０】
次に、壁部５０と前後の側壁部１２，１３および右側壁部１５とにより区画されるスペースから上記バッテリ収納部Ｓ２，Ｓ２を除いた平面視コ字形のスペースが工具本体３１を収納するための工具本体収納部Ｓ１となっている。この工具本体収納部Ｓ１内には、工具本体３１を載せ掛けるための台座壁部５６，５６と工具本体３１のがたつきを防止するためのがたつき防止壁部５７，５７が形成されている。２つの台座壁部５６，５６は、前側壁部１２と壁部５１との間、後ろ側壁部１３と壁部５３との間に前後対称（図１，４において上下対称）に配置されている。また、２つのがたつき防止壁部５７，５７は、壁部５２の右側面側と右側壁部１５の内面側とに相互に対向して配置されている。
図４において、下側（前側壁部１２側）に本体部３２を沿わせた向きに工具本体３１を収納した場合、本体部３２を図４において下側の台座壁部５６に載せ掛けることにより本体部３２の紙面に直交する方向のがたつきが規制される。また、図４において、上側（後ろ側壁部１３側）に本体部３２を沿わせた向きに工具本体３１を収納した場合、本体部３２を図４において上側の台座壁部５６に載せ掛けることにより本体部３２の紙面に直交する方向（ケース本体１０の深さ方向）のがたつきが規制される。さらに、工具本体３１を上記いずれの向きに収納した場合であっても、そのハンドル部３３をがたつき防止壁部５７，５７間に収納することにより当該ハンドル部３３の主として左右方向（底部１１に沿った方向）のがたつきが規制される。
このように工具本体３１を図４において上下ひっくり返した２形態の向きのいずれであっても収納することができるので、前記フック３６をハンドル部３３のいずれの側に装着した状態であっても、わざわざ取り外すことなく装着状態のまま当該電動工具３０をケース本体１０に収納することができる。
中央の壁部５０と左側壁部１４の間に形成されるスペースは、壁部５８により充電器収納部Ｓ３と小物類収納部Ｓ４に区画されている。
【００１１】
このように設けられたケース本体１０の後ろ側壁部１３に沿ってヒンジ部２２が設けられている。このヒンジ部２２を介して蓋２０がケース本体１０に対して開閉可能に支持されている。図２に示すようにこの蓋２０の内面側であって、ケース本体１０の工具本体収納部Ｓ１に対応する部位には、工具本体押さえ壁部２３とハンドル押さえ壁部２１が設けられている。工具本体押さえ壁部２３は、ケース本体１０の壁部５２に沿った部位に対応して蓋２０の前部から後部に至って形成されている。この工具本体押さえ壁部２３の右側面にハンドル押さえ壁部２１が形成されている。図３に示すようにハンドル押さえ壁部２１は工具本体押さえ壁部２３よりも高く形成されている。このため、図示するように蓋２０を閉止すると、ハンドル押さえ壁部２１は工具本体押さえ壁部２３よりもケース本体１０に対してより深い位置まで入り込む。
図３に示すように蓋２０をケース本体１０に対して閉止すると、工具本体押さえ壁部２３は、収納した工具本体３１の本体部３２に対して僅かな隙間をおいて接近した状態となり、ハンドル押さえ壁部２１は工具本体３１のハンドル部３３の側方に僅かな隙間をおいて接近した状態となる。これにより、蓋２０を閉止した状態で当該収納ケース１を運搬（携帯）する場合に、収納した電動工具３０の当該収納ケース１内でのがたつき（主としてケース本体１０の深さ方向のがたつき）が規制される。
また、蓋２０の内面側にはケース本体１０の小物類収納部Ｓ４に対応して補助壁部２４が形成されている。この補助壁部２４は、蓋２０をケース本体１０に対して閉止すると、小物類収納部Ｓ４を区画する壁部５０，５８に沿って位置し、これにより当該収納ケース１の運搬時（携帯時）における小物類の小物類収納部Ｓ４からの飛び出しが防止されるようになっている。
【００１２】
以上のように構成した本実施形態の収納ケース１によれば、工具本体３１から取り外したバッテリパック３４を固定状態で収納することができるので、当該収納ケース１を運搬する場合に、バッテリパックが収納ケース内で移動することにより発生するカタカタ音を発生することがない。
しかも、バッテリパック３４は、工具本体３１のバッテリ取り付け部３５の両取り付け縁３５ａ，３５ａを係合凹部３４ａ，３４ａに係合させて取り付けられる構成であり、これと同じ形態で収納ケース１のバッテリ収納部Ｓ２に固定される構成となっている。このことから、同じ工具本体３１に取り付け可能な種々サイズのバッテリパック３４を共通の（一つの）保持部５５により固定状態で収納することができるので、従来のように収納するバッテリパックのサイズに合わせて多くの固定用リブを形成しておく必要がなく、この点で収納ケース１の簡素化および低コスト化を図ることができる。
また、バッテリパック３４をバッテリ収納部Ｓ２に収納した状態では、その端子３４ｃ，３４ｃが壁部５１または壁部５３によって遮蔽されるので、主として金属粉（切り粉）等の他物品が接触することによる端子３４ｃ，３４ｃの損傷を未然に防止することができる。
さらに、工具本体収納部Ｓ１には、本体部３２を前側壁部１２に沿わせた向きと後ろ側壁部１３に沿わせた向きの２つの向きを選択して（表裏反転して）工具本体３１を収納することができる。これによれば、図３に示すようにフック３６をハンドル部３３の右側面または左側面のいずれに取り付けた状態であっても、取り付けた状態のまま収納することができる。このため、工具本体を一つの向きでのみ収納可能でフックを左右いずれの側にも取り付け可能とした場合に比して、収納ケース１の厚さを小さくすることができるとともにその使い勝手を向上させることができる。
また、蓋２０には、ケース本体１０に対して閉止した状態で工具本体３１のハンドル部３３の側方に位置するハンドル押さえ壁部２１と、工具本体３１の本体部３２の側方に位置する工具本体押さえ壁部２３が設けられている。このため、工具本体３１を工具本体収納部Ｓ１に収納した状態で当該収納ケース１を運搬（携帯）する場合において、工具本体３１が工具本体収納部Ｓ１内で大きく移動することを規制でき、これによりフック３６が蓋２０側に押されることによるその変形を防止できるとともに、カタカタ音等の発生を抑制することができる。
【００１３】
以上説明した実施形態には種々変更を加えることができる。例えば、蓋２０を備えた収納ケース１を例示したが、ケース本体のみの収納ケースとしてもよい。また、蓋２０を備えない収納ケースであって、例示した前後左右の壁部１２〜１５を備えない単なる板状（ボード状）の収納ケースとすることもできる。単なるボード状の収納ケースに、工具本体側のバッテリ取り付け部と同形態の保持部を設けることにより、工具本体から取り外したバッテリパックを固定状態に収納することができる。
また、保持部５５を底部１１に対して直交する方向に沿って設けた構成（縦スライド方式）を例示したが、底部１１に沿って保持縁部５５ａ，５５ａを設ける構成（横スライド方式）としてもよい。
さらに、バッテリパックのみを収納する収納ケースであってもよい。
また、バッテリパックを２個収納できる収納ケース１を例示したが、１個あるいは３個以上収納できる収納ケースにも同様に適用することができる。
また、電動工具としてスクリュードライバを例示したが、例えばねじ締め機等の回転工具やレシプロソー等の切断機、その他様々なバッテリ式電動工具に適用できることは言うまでもない。
【図面の簡単な説明】
【図１】本発明の実施形態を示す図であり、ケース本体の平面図である。
【図２】本発明に係る収納ケースの蓋を内面側から見た平面図である。
【図３】本発明に係る収納ケースの側面図である。本図では、ケース本体に対して閉じられた状態の蓋が実線で示され、僅かに空けられた状態および完全に空けられた状態の蓋が二点鎖線で示されている。
【図４】本発明に係る収納ケースの平面図である。本図では、収納されたバッテリパックおよび工具本体等が二点鎖線で示されている。
【図５】電動工具の全体の側面図である。
【図６】図５の（６）−（６）線矢視図であって、工具本体のバッテリ取り付け部に対するバッテリパックの取り付け状態を示す図である。
【図７】バッテリパック単体の全体斜視図である。
【図８】バッテリパック単体の上面図である。
【符号の説明】
１…収納ケース
１０…ケース本体
Ｓ１…工具本体収納部、Ｓ２…バッテリ収納部
２０…蓋
３０…電動工具
３１…工具本体
３３…ハンドル部
３４…バッテリパック
３４ａ…係合凹部（係合部）、３４ｃ…端子
３５…バッテリ取り付け部
３５ａ…取り付け縁部
３６…フック
５５…保持部、５５ａ…保持縁部
【図１】
0003916962.tif 000002
【図２】
0003916962.tif 000003
【図３】
0003916962.tif 000004
【図４】
0003916962.tif 000005
【図５】
0003916962.tif 000006
【図６】
0003916962.tif 000007
【図７】
0003916962.tif 000008
【図８】
0003916962.tif 000009